(57)【要約】【課題】錠剤を容易に取り出すことができる錠剤取り出し器を提供する。【解決手段】開口１１を有する板状の長尺な第１の部材１０と、第１の部材１０を覆うように閉じると開口１１に挿入されて開口１１を塞ぐ凸部２１を有する板状の長尺な第２の部材２０と、第２の部材２０が閉じたときに開口１１と重なる位置に設けられる貫通孔３１を有し、第１の部材１０と第２の部材２０との間に配置される板状の長尺な第３の部材３０と、を有する。第１の部材１０の開口１１および第３の部材３０の貫通孔３１は、それぞれ複数有し、円形状および細長い形状を含む。【選択図】図１
2020039505.tif 000002
【特許請求の範囲】
【請求項１】
開口を有する第１の部材と、前記第１の部材を閉じると前記開口と重なる位置に設定される凸部を有する第２の部材と、前記第２の部材を閉じると前記開口と重なる位置に設定される貫通孔を有し、前記第１の部材と前記第２の部材との間に配置された第３の部材と、を有することを特徴とする錠剤取り出し器。
【請求項２】
前記開口および前記貫通孔は、それぞれ複数有し、円形状および細長い形状を含むことを特徴とする請求項１に記載の錠剤取り出し器。
【請求項３】
前記凸部は、ボルトの頭部とすることを特徴とする請求項１または請求項２に記載の錠剤取り出し器。
【請求項４】
前記第２の部材と前記第３の部材との間に介在する介在部材を有することを特徴とする請求項１乃至請求項３のうちいずれか一項に記載の錠剤取り出し器。
【発明の詳細な説明】
【技術分野】
【０００１】
本発明は、錠剤取り出し器に係り、詳記すれば、錠剤を容易に取り出すことができる錠剤取り出し器に関する。
【背景技術】
【０００２】
従来、包装された錠剤は、指で押し出すことにより取り出していた。
【発明の概要】
【発明が解決しようとする課題】
【０００３】
しかしながら、包装された錠剤を押し出すには相応の力を要し、女性や高齢者等指の力が弱い者にあっては、不便をきわめていた。
【０００４】
本発明は、このような事情に鑑みてなされたものであり、錠剤を容易に取り出すことができる錠剤取り出し器を提供することを目的とする。
【課題を解決するための手段】
【０００５】
上記目的を達成するために、請求項１に係る錠剤取り出し器の発明は、開口を有する第１の部材と、前記第１の部材を閉じると前記開口と重なる位置に設定される凸部を有する第２の部材と、前記第２の部材を閉じると前記開口と重なる位置に設定される貫通孔を有し、前記第１の部材と前記第２の部材との間に配置される第３の部材と、を有することを特徴とする。
【０００６】
本発明によれば、前記第１の部材と前記第２の部材との間に配置される第３の部材を有することとしたので、錠剤を容易に取り出すことができる。
【０００７】
前記開口および前記貫通孔は、それぞれ複数有し、円形状および細長い形状を含むこととすれば、円形の錠剤および細長い錠剤のいずれも取り出すことができる。
【０００８】
前記凸部は、ボルトの頭部とすることができる。
前記第２の部材と前記第３の部材との間に介在する介在部材を有することとすれば、静止した状態においても第２の部材と第３の部材との間の間隔を所定に設定することができる。これにより、静止した状態において凸部と貫通孔とを離間させることができ、錠剤を貫通孔に設定する操作の際に凸部が障害となることを少なくすることができる。
【発明の効果】
【０００９】
本発明によれば、錠剤を容易に取り出すことができる。
【図面の簡単な説明】
【００１０】
【図１】本発明の実施形態に係る錠剤取り出し器の構成を示す図で、（ａ）は静止した状態を示す側面図、（ｂ）は開いた状態を示す側面図、（ｃ）は閉じた状態を示す側面図である。
【図２】同錠剤取り出し器における各部の構成を示す図で、（ａ）は第１の部材の構成を示す平面図、（ｂ）は第３の部材の構成を示す平面図、（ｃ）は第２の部材の構成を示す平面図である。
【図３】円形の錠剤の構成を示す図で、（ａ）は正面図、（ｂ）は平面図である。
【図４】細長い形状の錠剤の構成を示す図で、（ａ）は正面図、（ｂ）は平面図である。
【発明を実施するための形態】
【００１１】
以下、本発明の実施形態に係る錠剤取り出し器について図面を参照して詳細に説明する。図１は、本発明の実施形態に係る錠剤取り出し器の構成を示す図、図２は、同錠剤取り出し器における各部の構成を示す図、図３は、円形の錠剤の構成を示す図、図４は、細長い形状の錠剤の構成を示す図である。
【００１２】
これらの図に示すように、錠剤取り出し器１は、第１の部材１０、第２の部材２０、および第３の部材３０を有している。
【００１３】
第１の部材１０は、開口１１を有する板状の長尺な形状となっている。開口１１は、第１の部材１０の上面から第３の部材３０に向く面（下面）にかけて貫通するように形成されている。
【００１４】
第２の部材２０は、凸部２１を有する板状の長尺な形状となっており、凸部２１は、第２の部材２０を覆うように第１の部材１０を閉じると開口１１に挿入されて開口１１を所定に塞ぐことができる。
【００１５】
第３の部材３０は、ユーザーが錠剤１０２，２０２を包装容器１００，２００から取り出す動作を補助するための部材である。第３の部材３０は、第１の部材１０と第２の部材２０との間に配置された板状の長尺な形状となっており、貫通孔３１を有する。貫通孔３１は、第３の部材１０の第１の部材１０側に向く面（上面）から第２の部材２０側に向く面（下面）にかけて貫通するように形成されている。貫通孔３１は、第１の部材１０とともに第３の部材３０により第２の部材２０を閉じたときに、開口１１および凸部２１と重なる位置に設けられ、凸部２１が、開口１１とともに貫通孔３１に挿入されて、貫通孔３１が開口１１とともに凸部２１により所定に塞がれることを可能とする。
【００１６】
これら第１の部材１０、第２の部材２０、および第３の部材３０は、金属製の材料より詳しくは鉄、ステンレス、アルミニウム等の材料で形成されている。また、第１の部材１０、第２の部材２０、および第３の部材３０は、一端側より詳しくは基端側において相互に開閉機構４０を介して連結され、開閉機構４０を介して開閉可能に形成されている。開閉機構４０は、ヒンジ機構となっている。
【００１７】
ここで、開口１１および貫通孔３１は、それぞれ複数有し、円形状および細長い形状を含むこととしている。
【００１８】
すなわち、第１の部材１０の円形状の開口１１ａ，１１ｂおよび第３の部材３０の円形状の貫通孔３１ａ，３１ｂは、第１の部材１０および第３の部材３０の他端側より詳しくは先端側から中間部にかけて相互に所定の間隔をおいて長手方向に複数より詳しくは２個並ぶように設けられる。
【００１９】
円形状の開口１１ａ，１１ｂおよび貫通孔３１ａ，３１ｂは、第１の部材１０および第３の部材３０を第２の部材２０に対して閉じたときに、相互に重なる位置に設けられる。なお、開口１１ａおよび貫通孔３１ａと開口１１ｂと貫通孔３１ｂとは異なる寸法に形成されており、サイズの異なる円形状の錠剤を取り出すことができる。
【００２０】
更に、第１の部材１０の細長い形状の開口１１ｃおよび第３の部材３０の貫通孔３１ｃは、第１の部材１０および第３の部材３０の一端側より詳しくは基端側において左右方向に延びるように設けられている。細長い形状の開口１１ｃおよび貫通孔３１ｃは、第１の部材１０および第３の部材３０を第２の部材２０に対して閉じたときに、相互に重なる位置に設けられる。
【００２１】
また、第２の部材２０の凸部２１は、ドーム状より詳しくは半球状凸部となっている。すなわち、凸部２１は、締結部材の頭部とすることができ、更に詳しくは、凸部２１は、ボルトの頭部とすることができる。
【００２２】
そして、凸部２１は、第１の凸部２１ａ乃至第４の凸部２１ｄを有し、第１の凸部２１ａおよび第２の凸部２１ｂは、第１の部材１０とともに第３の部材３０により第２の部材２０を閉じたときに、円形状の開口１１ａ，１１ｂおよび貫通孔３１ａ，３１ｂの位置と重なるように、かつ、第２の部材２０の第１の部材１０および第３の部材３０に向く面（上面）における他端側より詳しくは先端側から中間部にかけて相互に所定の間隔をおいて長手方向に複数つまり２個並ぶように設けられている。
【００２３】
第１の凸部２１ａおよび第２の凸部２１ｂは、第１の部材１０および第３の部材３０を第２の部材２０に対して閉じたときに、円形状の開口１１ａ，１１ｂおよび貫通孔３１ａ，３１ｂに挿入されて円形状の開口１１ａ，１１ｂおよび貫通孔３１ａ，３１ｂを所定に塞ぐことができる。
【００２４】
更に、第３の凸部２１ｃおよび第４の凸部２１ｄは、第１の部材１０とともに第３の部材３０により第２の部材２０を閉じたときに、細長い形状の開口１１ｃおよび貫通孔３１ｃの位置と重なるように、かつ、第２の部材２０の第１の部材１０および第３の部材３０に向く面（上面）の他端側より詳しくは基端側において所定の間隔をおいて左右方向に複数つまり２個並ぶように設けられている。
【００２５】
第３の凸部２１ｃおよび第４の凸部２１ｄは、第１の部材１０および第３の部材３０を第２の部材２０に対して閉じたときに、細長い形状の開口１１ｃおよび貫通孔３１ｃに挿入されて細長い形状の開口１１ｃおよび貫通孔３１ｃを所定に塞ぐことができる。
【００２６】
ここで、円形状の貫通孔３１ａ，３１ｂの寸法より詳しくは径は、第１の凸部２１ａおよび第２の凸部２１ｂの寸法より詳しくは径以上としている。また、細長い形状の貫通孔３１ｃの寸法より詳しくは幅および長さは、凸部の寸法より詳しくは径以上としている。これにより、凸部２１による錠剤１０２，２０２の押し出しを容易に行うことができる。
【００２７】
なお、錠剤取り出し器１は、第２の部材２０と第３の部材３０との間に介在する介在部材５０を有することとしてもよい。このように介在部材５０を有することで、静止した状態においても第２の部材２０と第３の部材３０との間の間隔を所定に設定することができる。これにより、静止した状態において凸部２１と貫通孔３１とを離間させることができ、錠剤１０２，２０２を貫通孔３１に設定する操作の際に凸部２１が障害となることを少なくすることができる。
【００２８】
ここで、介在部材５０は、弾性部材とし、弾性部材は、板バネとすることができる。介在部材５０すなわち板バネは、凸部２１が設けられる面すなわち第２の部材２０の第１の部材１０および第３の部材３０に向く面（上面）に設けており、平板を上方に屈曲させて屈曲部５０ａを有する形状となっている。これにより、屈曲部５０ａの先端を第３の部材３０の第２の部材２０に向く面（下面）に当接させることができ、第２の部材２０を上方に付勢することができる
【００２９】
以上のように構成された錠剤取り出し器１の使用方法を説明すると次のようになる。
【００３０】
すなわち、図１（ａ）に示すように、錠剤取り出し器１が静止した状態、すなわち介在部材５０によって第２の部材２０と第３の部材３０との間に所定の間隔が形成された状態から、図１（ｂ）に示すように、第１の部材１０を上方に回動させ、第１の部材１０と第３の部材３０との間に所定の間隔を形成した状態とする。そして、同じく図１（ｂ）に示すように、錠剤収容部１０１，２０１を下向きにした状態で、包装容器１００，２００の底部１０３，２０３を第３の部材３０の第１の部材１０に向く面（上面）に引っ掛けるように載せながら円形状の貫通孔３１ａ，３１ｂおよび細長い形状の貫通孔３１ｃのうち少なくともいずれか一つに錠剤収容部１０１，２０１を挿入する。
【００３１】
次いで、図１（ｃ）に示すように、第１の部材１０を第３の部材３０とともに第２の部材２０に対し閉じた状態とする。これにより、包装容器１００，２００の底部１０３，２０３を第１の部材１０と第３の部材３０により挟みながら第２の部材２０の凸部２１が包装容器１００の錠剤収容部１０１，２０１の頂面を第１の部材１０の開口１１および第３の部材３０の貫通孔３１に向けて押し出し、錠剤１０２，２０２が、包装容器１００，２００の底部１０３，２０３を破って開口１１および貫通孔３１を介して包装容器１００より取り出される。
【００３２】
以上説明したように本発明の錠剤取り出し器１によれば、開口１１を有する第１の部材１０と、第１の部材１０を閉じると開口１１と重なる位置に設定される凸部２１を有する第２の部材２０と、第２の部材２０が閉じると開口１１と重なる位置に設定される貫通孔３１を有し、第１の部材１０と第２の部材２０との間に配置される第３の部材３０と、を有することとしたので、錠剤１０２，２０２を容易に取り出すことができる。
【００３３】
また、第１の部材１０の開口１１および第３の部材３０の貫通孔３１は、それぞれ複数有し、円形状および細長い形状を含むこととしたので、円形の錠剤１０２および細長い錠剤２０２のいずれも取り出すことができる。
【００３４】
なお、本発明は上述した実施形態に限定されることなく種々の変形実施、応用実施が可能であることは勿論である。
【符号の説明】
【００３５】
１：錠剤取り出し器
１０：第１の部材
１１：開口
１１ａ，１１ｂ：円形状の開口
１１ｃ：細長い形状の開口
２０：第２の部材
２１：凸部
３０：第３の部材
３１ａ，３１ｂ：円形の貫通孔
３１ｃ：細長い形状の貫通孔
３１：貫通孔
４０：開閉機構
５０：弾性部材
１００，２００：包装容器
１０１，２０１：錠剤収容部
１０２，２０２：錠剤
１０３，２０３：底部
【図１】
2020039505.tif 000003
【図２】
2020039505.tif 000004
【図３】
2020039505.tif 000005
【図４】
2020039505.tif 000006